(57)【特許請求の範囲】
【請求項１】
変速機ケースの内側に形成されたエアブリーザー室を通し、変速機内で上昇した内圧を外部に逃がすように構成してなるエアブリーザー構造において、
ギヤの回転により発生するオイルの流れが沿うように、変速機のコーナー部と距離をおいた位置から該コーナー部へ向かって凸な湾曲状に垂設された仕切壁と、
前記変速機ケースから前記仕切壁の下端に対して突出形成されたオイル返しリブと、
前記仕切壁の上部位置であって、前記エアブリーザー室内と前記外部とを連通するエアブリーザーパイプが接続された位置よりも低い位置に形成された前記オイルの流れを前記エアブリーザー室内に侵入させるオイル入口と、
該オイル入口より前記エアブリーザー室内に侵入したオイルを排出する、前記仕切壁の下端と前記オイル返しリブの先端との間で形成された前記オイル入口より広いオイル出口と、
を備える変速機のエアブリーザー構造。
【請求項２】
前記仕切壁の下端は、ラッパ状に拡開したオイル返しリブ片が一体形成されている請求項１に記載の変速機のエアブリーザー構造。
【請求項３】
前記オイル返しリブ片は、前記エアブリーザー室側に切り立って下方側へ延びる垂下面と、該垂下面から鋭角状に前記変速機の内部に向かって上傾した横開き面と、該横開き面の内端から鋭角に上昇する湾曲面と、から形成されてなる請求項２に記載の変速機のエアブリーザー構造。
【発明の詳細な説明】
【０００１】
【産業上の利用分野】
この発明は、変速機におけるエアブリーザー構造に関するものである。
【０００２】
【従来の技術及びその課題】
従来、変速機のエアブリーザー構造として、特開昭６０−２１５１５８号公報に開示されたものがあり、図２の概略断面構成図で示すように、変速機のケース１の内側には仕切壁２を介してエアブリーザー室Ｓが区画形成されており、このエアブリーザー室Ｓの奥側にエアブリーザーパイプ３が外側より接続されており、エアブリーザー室Ｓの入口５１からエアブリーザー室Ｓ内へ変速機内で上昇した内圧を導き、エアブリーザーパイプ３を通して外部に逃がして変速機の内圧上昇を防止するように構成されているが、従来のエアブリーザー構造においては、内圧をエアブリーザー室Ｓを通しエアブリーザーパイプ３から外部へ逃がす時に、変速機内のオイルがエアブリーザー室Ｓ内に入口５１側から侵入し、オイルがエアブリーザーパイプ３を通り外部に吹き出し、いわゆる「オイル吹き」が生じてしまうという問題点があった。
そこで、気液分離性能を向上させるためにエアブリーザー室Ｓの容積を大きくすることが考えられるが、エアブリーザー室Ｓの容積を大きく形成すると入口５１が広がってしまい、変速機ケース１内でのギヤの回転で発生する流体の流れによりエアブリーザー室Ｓへオイルが侵入し易くなり、また、自動車の登坂走行時にオイルがエアブリーザー室の方向に集中した場合、オイルがエアブリーザー室Ｓ内に侵入してしまうという弊害が発生するという問題点があった。
【０００３】
【課題を解決するための手段】
本発明は上記従来の問題点に鑑み案出したものであって、「オイル吹き」をなくすることのできる変速機のエアブリーザー構造を提供せんことを目的とし、その第一の要旨は、変速機ケースの内側に形成されたエアブリーザー室を通し、変速機内で上昇した内圧を外部に逃がすように構成してなるエアブリーザー構造において、ギヤの回転により発生するオイルの流れが沿うように、変速機のコーナー部と距離をおいた位置から該コーナー部へ向かって凸な湾曲状に垂設された仕切壁と、前記変速機ケースから前記仕切壁の下端に対して突出形成されたオイル返しリブと、前記仕切壁の上部位置であって、前記エアブリーザー室内と前記外部とを連通するエアブリーザーパイプが接続された位置よりも低い位置に形成された前記オイルの流れを前記エアブリーザー室内に侵入させるオイル入口と、該オイル入口より前記エアブリーザー室内に侵入したオイルを排出する、前記仕切壁の下端と前記オイル返しリブの先端との間で形成された前記オイル入口より広いオイル出口と、を備えることである。
また、第二の要旨は、前記仕切壁の下端は、ラッパ状に拡開したオイル返しリブ片が一体形成されていることである。
また、第三の要旨は、前記オイル返しリブ片は、前記エアブリーザー室側に切り立って下方側へ延びる垂下面と、該垂下面から鋭角状に前記変速機の内部に向かって上傾した横開き面と、該横開き面の内端から鋭角に上昇する湾曲面と、から形成されてなることである。
【０００４】
【実施例】
以下、本発明の実施例を図面に基づいて説明する。
図１は、エアブリーザー構造を示す概略断面構成図であり、変速機のケース１の内側には、ケース１のコーナー部１ａから距離をおいて曲面状に下方側へ延出された仕切壁２が形成されており、この仕切壁２とケース１のコーナー部１ａ壁間で大容量のエアブリーザー室Ｓが形成されており、このエアブリーザー室Ｓ内上部のケース１側にはエアブリーザーパイプ３が外側より連通状に接続されたものとなっており、また本例では、前記エアブリーザーパイプ３の位置より低い仕切壁２の上部位置にオイル入口４が開口され、仕切壁２の下端にはラッパ状に拡開したオイル返しリブ片７が一体形成されており、このオイル返しリブ片７のエアブリーザー室Ｓ側は切り立って下方側へ延びる垂下面７ａを形成しており、この垂下面７ａから鋭角状に変速機の内部に向かって上傾して横開き面７ｂが形成され、また、横開き面７ｂの内端から鋭角に上昇して湾曲面７ｃが形成されて、この垂下面７ａ，横開き面７ｂ，湾曲面７ｃにより前記オイル返しリブ片７が形成されている。このオイル返しリブ片７の前記垂下面７ａに対し、ケース１から直角状にオイル返しリブ６が突出形成されており、オイル返しリブ６の先端と垂下面７ａ間で前記オイル入口４より広く開口したオイル出口５が形成されたものとなっている。
【０００５】
このような構造において、図中矢印Ａで示すオイルの流れは変速ギヤの回転により発生するオイルの流れであり、また、図中Ｂで示すオイルの流れはファイナルギヤの回転により発生するオイルの流れであるが、矢印Ａで示すオイルは前記オイル入口４からエアブリーザー室Ｓ内に侵入するが、このエアブリーザー室Ｓ内に侵入したオイルは、下端側に開口されたオイル出口５から変速機内部に排出されることとなる。即ち、オイル出口５には垂下面７ａが存在するため垂下面７ａに沿ってオイルは流下し、良好にオイル出口５から排出されるものである。
【０００６】
また、図中Ｂで示す上昇するオイルは、前記オイル返しリブ６に当接して跳ね返されて、オイルの上昇がこのオイル返しリブ６により防がれ、エアブリーザー室Ｓ内へオイル出口５からオイルが上昇して侵入することが少なくなる。また、オイル返しリブ片７の横開き面７ｂで、上昇するオイル及び横方向から侵入するオイルが跳ね返されて、オイル返しリブ片７によってもオイル出口５からエアブリーザー室Ｓ内へ上昇するオイルを防ぐことができるものとなっている。
【０００７】
また、登坂走行時等にオイルがエアブリーザー室Ｓ側に集中し、エアブリーザー室Ｓ内にオイルが充満するような場合には、オイル入口４から良好にエアブリーザー室Ｓ外へオイルを抜くことができる。
従って、エアブリーザー室Ｓ内へのオイルの侵入は極めて少なくなり、また、良好にエアブリーザー室Ｓからオイルを排出できるために、エアブリーザーパイプ３側へオイルが入り込むことが極めて少なくなり、従来のようにエアブリーザーパイプ３を通りオイルが外部へ吹き出されることが少なく、「オイル吹き」を良好に防止できるものとなる。
【０００８】
【発明の効果】
本発明は、変速機ケースの内側に形成されたエアブリーザー室を通し、変速機内で上昇した内圧を外部に逃がすように構成してなるエアブリーザー構造において、ギヤの回転により発生するオイルの流れが沿うように、変速機のコーナー部と距離をおいた位置から該コーナー部へ向かって凸な湾曲状に垂設された仕切壁と、前記変速機ケースから前記仕切壁の下端に対して突出形成されたオイル返しリブと、前記仕切壁の上部位置であって、前記エアブリーザー室内と前記外部とを連通するエアブリーザーパイプが接続された位置よりも低い位置に形成された前記オイルの流れを前記エアブリーザー室内に侵入させるオイル入口と、該オイル入口より前記エアブリーザー室内に侵入したオイルを排出する、前記仕切壁の下端と前記オイル返しリブの先端との間で形成された前記オイル入口より広いオイル出口と、を備えることにより、エアブリーザー室へのオイルの侵入を防ぐためにオイル返しリブが設けられて、エアブリーザー室へのオイルの侵入が少なくなり、また、登坂走行時等にオイルがエアブリーザー室に集中し、エアブリーザー室内にオイルが充満するような場合に、オイル入口から良好にエアブリーザー室外へオイルを抜くことができ、また、通常走行時のギヤの回転により発生するオイルの流れによりオイルをオイル入口から侵入させることで、このオイルの流れによる膜効果を発生させないようにすることができ、上昇した内圧をエアブリーザー室へ良好に導くことができるとともに、オイル入口から侵入したオイルを効率よくオイル出口から抜くことができる効果を有する。
また、前記仕切壁の下端は、ラッパ状に拡開したオイル返しリブ片が一体形成されていることにより、オイル出口からエアブリーザー室内へ上昇するオイルを防ぐことができるものとなる。
また、前記オイル返しリブ片は、前記エアブリーザー室側に切り立って下方側へ延びる垂下面と、該垂下面から鋭角状に前記変速機の内部に向かって上傾した横開き面と、該横開き面の内端から鋭角に上昇する湾曲面と、から形成されてなることにより、エアブリーザー室内に侵入したオイルは、垂下面に沿って流下し、良好にオイル出口から排出され、また、横開き面で、上昇するオイル及び横方向から侵入するオイルが跳ね返されて、オイル出口からエアブリーザー室内へ上昇するオイルを防ぐことができるものとなる。
【図面の簡単な説明】
【図１】  エアブリーザー構造を示す概略断面構成図である。
【図２】  従来のエアブリーザー構造を示す概略断面構成図である。
【符号の説明】
１  変速機ケース
２  仕切壁
３  エアブリーザーパイプ
４  オイル入口
５  オイル出口
６  オイル返しリブ
７  オイル返しリブ片
７ａ  垂下面
７ｂ  横開き面
７ｃ  湾曲面
Ｓ  エアブリーザー室
【図１】
0003697597.tif 000002
【図２】
0003697597.tif 000003